(57)【特許請求の範囲】
【請求項１】
電荷保持面を帯電させるためのコロナ発生装置であって、
シェルを有し、
複数の第１コロナワイヤと複数の第２コロナワイヤとを有し、前記複数の第１コロナワイヤと前記複数の第２コロナワイヤが前記シェル内に配置され、ここで第１コロナワイヤの各々が第２コロナワイヤだけに隣接し、また第２コロナワイヤの各々が第１コロナワイヤだけに隣接し、
第１及び第２コロナワイヤと有効に接続される電源を有し、電源が、第１交流電圧を第１コロナワイヤに印加し、また位相が第１交流電圧とずれる第２交流電圧を第２コロナワイヤに印加する、
コロナ発生装置。
【請求項２】
印刷機であって、
第１極性の予め定められた電位に帯電され、次に放射エネルギーに露光される電荷保持面を有し、第１極性のより多い及びより少ない電位を含む潜像を生成し、
帯電ステーションを有し、電荷保持面をあらかじめ定められた電位に帯電させ、帯電ステーションがシェル、並びに前記シェル内の複数の第１コロナワイヤ及び複数の第２コロナワイヤを備える帯電デバイスを有し、前記複数の第１コロナワイヤと前記複数の第２コロナワイヤが前記シェル内に配置され、この場合に第１コロナワイヤの各々が第２コロナワイヤだけに隣接し、また第２コロナワイヤの各々が第１コロナワイヤだけに隣接し、更に、帯電ステーションが第１コロナワイヤ及び第２コロナワイヤと有効に接続される電源を含み、電源が第１交流電圧を第１コロナワイヤに印加し、また第１交流電圧と位相がずれる第２交流電圧を第２コロナワイヤに印加し、
第１露光ステーションを有し、電荷保持面を露光して電荷保持面上に第１潜像を生成し、
第１現像ステーションを有し、トナーを第１潜像上へ転写し、第１トナー粉末画像を電荷保持面上に生成する、
印刷機。
【発明の詳細な説明】
【０００１】
【発明の属する技術分野】
本発明は一般に電子写真マーキングに関し、より詳細には電子写真マーキングに使用されるコロナ発生装置に関する。電子写真マーキングは原稿をコピーするか又は作成する周知の一般的に使用される方法である。電子写真マーキングは典型的には、原稿の光像を実質的に均一に帯電した受光体（例えば、感光体）上に露光することにより行われる。その光像に応答して、受光体は放電して原稿の静電潜像を受光体表面上に生成する。次に、トナー粒子を潜像上に付着してトナー粉末画像を形成する。次に、そのトナー粉末画像を受光体からシート状のペーパーの様な基体上へ直接又は中間転写ステップ後に転写する。次に、転写されたトナー粉末画像は基体に熱及び／又は圧力を用いて永続的にフューズ（定着）される。次に、受光体表面は残留現像剤材料のクリーニングがされて、別の画像の生成に備えて再帯電する。
【０００２】
【従来技術及び発明が解決しようとする課題】
上記挙げられた電子写真マーキングプロセスは、カラー画像を生成することができる。「画像重ね処理(image on image processing) 」と称される１つのカラー電子写真マーキングプロセスは、複合トナー粉末画像を基体上へ転写する前に、異なる着色トナーのトナー粉末画像を受光体上に積重（スーパーインポーズ）する。画像重ね処理は有益であるが、幾らかの問題がある。例えば、別のカラーのトナー粉末画像の生成に備えて受光体を再帯電させる場合、受光体の以前にトーン化された(toned) 領域と未トーン化(untoned) 領域との間の電圧を一様にすることは重要である。以前にトーン化された層をその近隣の未トーン化領域と同じ電圧レベルに単に再帯電させることにより電圧の均一性を得ることができるが、残留トナー電圧と呼ばれる影響によりその処理は複雑になる。残留トナー電圧は再露光されたトーン化領域と露光された未トーン化領域との間に発生する電圧差である。残留トナー電圧は、トーン化領域中の有効な現像電界(development field) を低下させるので、後続トナー粉末画像の現像量(developed mass)の望ましい均一な一貫性を得ようとする試みを妨げる。更なるトナー粉末画像が露光及び現像されるに従って、この問題は徐々に深刻になる。残留トナー電圧により、色ずれ(color shift) 、モアレの拡大、画像見当合わせに対する色ずれ感度の増加、及び画像エッジでのトナー拡散が生じるためにカラー品質は脅かされる。
【０００３】
残留トナー電圧の問題に対する様々な解決法が提案された。例えば、同時係属特許出願米国出願番号第０８／３４７，６１６号は、コロトロン、ディコロトロン(dicorotoron) 又は、受光体表面電圧特性に対して急勾配の出力電流（電荷保持面への印加電流）を有する他の帯電デバイスを使用する再帯電方法及び装置を開示する。しかしながら、そのシステムによる残留トナー電圧の低下はどちらかといえば限られたのもである。
【０００４】
受光体電圧分布の不均一性を減少する再帯電方法は、松下電器産業株式会社に譲渡された日本国特許出願番号平１−３４０６６３号（出願日１９８９年１２月２９日、公開日１９９１年９月４日）に開示される。その特許は２つの再帯電器を使用するカラー画像形成システムを使用する。第１再帯電器は受光体が露光ステーションへ移行する時に受光体が有するべき電圧よりも高い電圧を受光体に印加する。第２再帯電器は受光体が露光ステーションへ移行する時に有するべき電圧まで、受光体の表面電圧を低下させる。一方、特許出願番号平１−３４０６６３号は、第１と第２の再帯電器により印加された電圧間の電圧差により、トナー粉末画像中の全トナーの極性を再帯電器を通過後に確実に反転できることを開示する。その最終的な結果は、トーン化領域内の残留電荷を減少し、またトナー飛散を減少する。トナー飛散は、トナー画像を支持する受光体を比較的高い電荷レベルに再帯電させ、次いで露光すると、発生する。前の現像画像のエッジが後続画像のエッジと見当合わせするが重ならない領域では、前の画像のトナーは、次に露光される領域中へ飛散するか又は広がる傾向がある（該後続露光領域は比較的低い電荷を有する）。トナーの極性を反転すると、反転極性トナーが露光領域に引きつけられないためにトナーの飛散を防止する。
【０００５】
日本国特許出願番号平１−３４０６６３号に記載された方法は、残留トナー電荷及びトナー飛散を減少するのに有効であるが、大量のトナーを含む複合トナー粉末画像の極性を反転する時に、違う問題が発生し得る。再帯電及びその次の露光後、前に現像されたトナー粉末画像中のトナーは、バックグランド（背景）の未トーン化領域の極性及び新しく入って来てトナー粉末画像を形成するトナーの極性と反対の極性を有する。３つの識別帯電領域の間には、相互作用が生じる。例えば、負に帯電した受光体を有し、放電領域現像（ＤＡＤ;discharged area development) を用いるシステムでは、現像用に使用される負に帯電したトナーは、日本国特許出願番号平１−３４０６６３号の教示を用いて再帯電した後に極性が反転される。次に、正に帯電したトナー粉末層は、負に帯電したバックグランド領域及び新しく入って来る負に帯電したトナーに引きつけられる。次に、正に帯電したトナーは、近隣の僅かなバックグランド領域上に飛翔する傾向がある。この発生は「アンダーカラースプラッタ（ＵＣＳ;under color splatter)」欠陥と呼ばれる。更に、第１と第２の再帯電器の間の比較的大きな電圧差により著しい量の応力が受光体にかかる。その応力が画像品質及び受光体の平均余命を共に低下する。
【０００６】
「カラー画像形成のための分割再帯電方法及び装置(Split Recharge Method and Apparatus for Color Image Formation) 」は、ＵＣＳ問題の解決を試みる再帯電方法を開示する。その特許は分割帯電構造を開示し、該構造において、第１のコロナ発生装置が、現像画像を上に有する電荷保持面を予め定められた電位よりも高い絶対電位に再帯電して、次に交流電流の第２コロナ発生装置がその表面を予め定められた電位に再帯電する。第１のコロナ再帯電装置と第２のコロナ再帯電装置とにより再帯電した後の受光体表面電位の差は、「電圧分割(voltage split) 」と呼ばれる。第２再帯電器からの交流電流が画像と関係する電荷を実質的に中和することは有意である。その中和の程度は、第２のコロナ発生装置の電流／電圧スロープに依存する。スロープが高く成るにつれ、ＵＣＳ問題は減少する。また、米国特許出願番号０８／３４７，６１７号により、残留トナー電圧はまたトナー電圧が印加される電圧分割に正比例するために低下する。
【０００７】
米国特許出願番号０８／３４７，６１７号の技法は有益であるが、受光体上のどんな電圧のばらつきも、好ましくない色ずれに変わる。電圧ばらつき問題は画像の上に画像を重ねるカラー処理において特に深刻である。その理由は次のトナー層の露光及び現像前に均一に帯電されなくてはならないトナー量のためである。電圧ばらつき問題に対する１つのあり得る解決法は、帯電デバイスのオペレーティングスロープを上昇させることである。オペレーティングスロープにより、（帯電装置からの）受容体電流と受容体電圧の比率が表される。他の全ファクタが同じであると仮定すると、帯電デバイスのオペレーティングスロープが上昇すると、受光体電圧のどんなばらつきも、電圧のばらつきの量を中和するために大量の電荷を誘導することになる。帯電デバイスのオペレーティングスロープを上昇させる一つの方法は、受光体に配すことができるコロナの量を増大することである。
【０００８】
前記に基づいて、受光体に配すことができるコロナの量を増大する方法及び装置は非常に望ましい。
【０００９】
【課題を解決するための手段】
本発明は、改良コロナ発生装置を提供する。そのコロナ発生装置は、シェル、該シェル内の複数のコロナワイヤ、及び位相が互いにずれる第１及び第２の交流電圧を出力する電源を具備する。複数のコロナワイヤは相互接続され２つのグループを形成する。第１グループ中のワイヤは、第１の直流電圧に有効に接続され、第２グループ内のワイヤは第２交流電圧に有効に接続される。コロナワイヤはシェル内に配置され、この場合、第１グループのワイヤが第２グループのワイヤだけに隣接し、第２グループのワイヤが第１グループのワイヤだけに隣接する。コロナ発生装置は金属スクリーンを有益に具備し、金属スクリーンがグリッドとして作用し、またコロナ発生装置からのコロナフロー（流れ）を制御する。
【００１０】
本発明はまた、基体上にマークを生成する印刷機を提供する。その印刷機は、帯電でき、また次の放射エネルギーへの露光により放電できる電荷保持面を具備し、より多い及びより少ない静電電位を含む潜像を生成する。印刷機は更に電荷保持面を帯電させるための帯電ステーションを具備する。その帯電ステーションは、コロナ発生装置を具備し、コロナ発生装置がシェル、シェル内の複数のコロナワイヤ、及び位相が互いにずれる第１及び第２の交流電圧を出力する電源を有する。複数のコロナワイヤは２つのグループ、即ち第１グループ及び第２グループに形成される。第１グループ中のワイヤは、第１の交流電圧に有効に接続され、第２グループ中のワイヤは、第２の交流電圧に有効に接続される。コロナワイヤはシェル内に配置され、この場合第１グループのワイヤは第２グループのワイヤだけに隣接し、第２グループのワイヤは第１グループのワイヤだけに隣接する。コロナ発生装置は金属スクリーンを有益に具備し、金属スクリーンがグリッドとして作用し、またコロナ発生装置からのコロナフロー（流れ）を制御する。印刷機は更に、電荷保持面を放射エネルギーに露光して電荷保持面上に潜像を生成する少なくとも１つの露光ステーションと、トナーをその潜像上に転写して電荷保持面上にトナー粉末画像を生成する現像ステーションとを具備する。
【００１１】
本発明はまた電荷保持面を帯電させるための方法を提供する。該方法は、コロナ発生装置に対して電荷保持面を通過させるステップを含み、コロナ発生装置がシェル、シェル内の複数のコロナワイヤ、及び互いに位相がずれる第１及び第２の交流電圧を出力する電源を含む。複数のコロナワイヤは２つのグループに形成され、第１グループが第１の交流電圧を受け取り、第２グループが第２の交流電圧を受け取る。コロナワイヤはシェル内に位置し、この場合、第１グループワイヤのワイヤが第２グループワイヤのワイヤにだけ隣接し、また第２グループワイヤのワイヤが第１グループワイヤのワイヤだけに隣接する。
【００１２】
【発明の実施の形態】
下記に記載する実施の形態は、画像カラー出力の上に画像を生成する画像形成システムに関する。しかしながら、理解されるように本発明はこのような実施の形態に限定されるわけではない。反対に、本発明は全ての代替、変形及び請求の範囲内に含まれ得る等価物をカバーすることが意図される。
【００１３】
図１は本発明の特徴を組み込む電子写真印刷機８を示す。電子写真印刷機８は電荷保持面をアクティブマトリックス（ＡＭＡＴ；Active Matrix)受光体ベルト１０として使用し、該ベルト１０が様々なゼログラフィック（静電複写）処理ステーションを順次通って、矢印１２により示された方向に移動する。ベルトの移動は、駆動ローラ１４と２つのテンション（引張り）ローラ、即ちローラ１６と１８の回りにベルトを搭載し、次に駆動ローラ１４を駆動モータ２０により回転させることによりもたらされる。印刷機８は、受光体ベルトの単一パス（通過）によりカラードキュメント（文書、原稿）を生成する。
【００１４】
受光体ベルトが移動すると、その各部分は次に記載する処理ステーションの各々を通過する。便宜上、画像領域と称された受光体ベルトの単一セクションは識別される。画像領域は受光体ベルトの部分であり、そこでトナー粉末画像を受け取り、その後でトナー粉末画像が基体に転写されて最終画像を生成する。受光体ベルトは多数の画像領域を有するが、各画像領域は同じ方法で処理されるので、１つの画像領域の処理を記述することにより、印刷機の動作を十分に説明することができる。
【００１５】
受光体ベルト１０が移動すると、画像領域は帯電ステーションＡを通過する。帯電ステーションＡでは、直流ピンスコロトロン２２が画像領域を比較的高い、また実質的に均一な電位に帯電させる。図２（Ａ）は、画像領域が電荷ステーションＡを出た後の画像領域の典型的な電圧プロファイル６８を示す。図示されるように、画像領域は約−５００Ｖの均一な電位を有する。実際には、これは画像領域を−５００Ｖよりも僅かに負に帯電させることにより達成され、得られる暗減衰が電圧を望ましい−５００Ｖまで低下する。図２（Ａ）は負に帯電した画像領域を示すが、後で記載する構成要素の電荷レベル及び電位が適切に変更される場合、正に帯電し得る。
【００１６】
帯電ステーションＡを通過後、今帯電した画像領域は第１の露光ステーションＢを通過する。露光ステーションＢでは、第１カラー（即ち、ブラック）画像の光表現で画像領域を照射するレーザーベースの出力走査デバイス２４の出力に帯電画像領域を露光する。その光表現は、画像領域のある部分を放電して、静電潜像を生成する。図２（Ｂ）は典型的な電圧レベル、即ち、レベル７２及び７４を示し、これらの電圧レベルが露光後に画像領域上に存在し得る。約−５００Ｖの電圧レベル７２は照射されなかった画像領域の部分にあり、また約−５０Ｖの電圧レベル７４は照射された部分にある。従って、露光後に画像領域は相対的な高い電圧及び低い電圧からなる電圧プロファイルを有する。
【００１７】
第１の露光ステーションＢを通過後、今露光された画像領域は第１の現像ステーションＣを通過する。第１の現像ステーションＣは磁気ブラシ現像剤であり、これが第１カラー、即ちブラックの負に帯電した絶縁性磁気ブラシ（ＩＭＢ；insulative magnetic brush)トナー３１を画像領域上へ進める。ＩＭＢトナーは画像領域のさほど負でないセクションに引きつけられ、またより負であるセクションによりはじかれる。その結果、画像領域上に第１のトナー粉末画像ができる。そのタスクを実行するために、磁気ブラシ現像剤はＩＭＢトナー３１を進める複数の磁気ブラシローラ部材と、ＩＭＢトナーを要求される電位に帯電させる電源３２とを具備する。
【００１８】
図２Ｃは画像領域が第１現像ステーションＣを通過した後の画像領域上の電圧を示す。約−２００Ｖの負の電圧に帯電するトナー７６は照射画像領域に付着する。これにより照射領域中の電圧が実線７８で示されるように約−２００Ｖまで上昇する。画像領域の未照射部分は、参照番号７２で示されるレベルにあるままである。
【００１９】
第１現像ステーションＣを通過後、今露光及びトーン化された画像領域は第１再帯電ステーションＤへ移行する。第１再帯電ステーションは２つのコロナ帯電デバイス、即ち第１帯電デバイス３６と第２帯電デバイス３７を有益に含み、これらの帯電デバイスが画像領域のトーン化及び未トーン化の両部分の電圧レベルを実質的に均一なレベルに再帯電させるために共に作用する。第１帯電デバイス３６は直流ピンスコロトロン２２と有益に同じであるか又は非常に類似し、第２帯電デバイス３７は複数ワイヤＡＣスコロトロンである。
【００２０】
例示的な第２帯電デバイス３７は図３（Ａ）に示される。図示されるように、帯電デバイスは、複数のコロナワイヤを収納する絶縁性シェル９９、ワイヤ１０５、１０６、１０７、１０８及び１０９、並びに金属グリッド１１０を具備する。全コロナワイヤをガラスのような誘電材料１１２でコーティングすることは有益である。
【００２１】
オペレーションでは、金属グリッド１１０は電源１１４により負に帯電する。第１交流電源１１６は交流電圧を図３（Ａ）のコロナワイヤの第１グループ、即ちワイヤ１０６及び１０８に印加する。第２交流電源１１８は交流電圧を図３（Ａ）のコロナワイヤの第２グループ、即ちワイヤ１０５、１０７及び１０９に印加する。図３（Ｂ）は、交流電源同士の間の有益な位相関係を示し、その関係は位相が１８０度ずれている。実際上は、交流電圧は約４ＫＨｚの周波数で５．３ＫＶｏｌｔとなり得る。もちろん、本発明を他の電圧、周波数及び波形（例えば矩形波）と共に使用することもできる。
【００２２】
画像領域が第１再帯電ステーションＤを通過すると、第１帯電デバイス３６で生成されたコロナは画像領域に転写される。第１帯電デバイスは、画像領域及びそのトナー粒子が再帯電ステーションＤを出る時にそれらが備えるべき電圧レベルよりもより負の電圧レベルに、画像領域及びそのトナー粒子を過帯電させるように設計される。例えば、図２（Ｄ）に示されるように、画像領域の未トーン化部分は、約−７００ボルトの電圧レベル８０に達する。しかしながら、画像領域の未トーン化部分とトーン化部分との電荷特性の相違のために、トナー７６により表されるトーン化部分は、−５００ボルトよりもより負であるレベル８２へ帯電するが、−７００ボルトには達しない。
【００２３】
第１帯電デバイス３６により帯電した後、画像領域は第２帯電デバイス３７を通る。第２帯電デバイス３７は、未トーン化部分とトーン化部分（トナー７６により表される）の両方の画像領域の電圧を、所望の−５００ボルトの電位であるレベル８４まで低下するように設計される（図２（Ｅ）参照）。従って、電圧分割、即ち第１帯電デバイス３６を出た後の画像領域の未トーン化部分を第２帯電デバイス３７を出た後のものと比較した電圧差は、−２００Ｖである。
【００２４】
第２帯電デバイス３７の利点は、それが高いオペレーティングスロープを有するということであり、電荷保持面上の小さな電圧のばらつきにより、大きな帯電電流が電荷保持面に施され得る。金属グリッド１１０に印加される電圧を使用して、帯電電流が画像領域へ第２帯電デバイス３７から供給される電圧を制御することができる。第２帯電デバイスの欠点は、第２帯電デバイスが他のＡＣオペーレート帯電デバイスと同様に、それに匹敵するＤＣオペーレート帯電デバイスよりもより多くのオゾンを発生する傾向があるということである。
【００２５】
第１再帯電ステーションＤで再帯電した後、今ほぼ均一に帯電した画像領域はそのトナー粉末画像と共に第２露光ステーション３８へ移行する。第２露光ステーションが第２カラー画像（即ち、イエロー）の光表現で画像領域を照射して、第２静電潜像を生成するという事実を除いて、第２露光ステーション３８は第１露光ステーションＢと同一である。図２（Ｆ）は第２露光ステーションを通過した後の画像領域上の電位を示す。図示されるように、非照射領域はレベル８４で示されるように、約−５００Ｖの電位を有する。しかしながら、トナー７６により示された予めトーン化された領域と未トーン化領域との両方の照射領域をレベル８８により示されるように−５０ボルトまで放電した。
【００２６】
第２露光ステーション３８で露光された後、画像領域は第２現像ステーションＥへ移行する。第２現像ステーションＥは、有益にはスキャベンジレス(scavengeless)現像ステーションである。第２現像ステーションＥでスキャベンジレス現像を用いる利点は、先に付着した第１トナー層が第２トナー層の現像により乱されないことである。第２現像ステーションＥでは、第１現像ステーションＣのトナー３１と異なるカラー（イエロー）を有するトナー４０は、画像領域のさほど負でない部分上に引きつけられ、より負である部分によりはじかれる。第２現像ステーションＥを通過後、画像領域は重ねることができる第１及び第２のトナー粉末画像を有する。
【００２７】
第２現像ステーションＥを通過後、画像領域は第２再帯電ステーションＦへ移行する。第２再帯電ステーションＦは第１及び第２帯電デバイス、即ちデバイス５１及び５２を有し、これらのデバイス５１及び５２はそれぞれ上記記載した帯電デバイス３６及び３７と同じように動作する。簡潔に言えば、第１帯電デバイス５１は画像領域を最終的に望まれるよりも大きな絶対電位まで過帯電させるＤＣコロトロンである。第２帯電デバイス５２は、図３（Ａ）に示され、上記記載した帯電デバイス３７と同じ帯電デバイスである。第２帯電デバイスはその過帯電した画像領域を最終的に望まれる電圧（約−５００ボルト）まで中和する。
【００２８】
第２再帯電ステーションＦを通過後、再帯電された画像領域は第３露光ステーション５３を通過する。第３露光ステーションが画像領域を第３カラーの画像（即ち、マゼンタ）の光表現で照射して第３静電潜像を生成するという事実を除いて、第３露光ステーション５３は第１露光ステーションＢ及び第２露光ステーション３８と同じものである。次に、第３静電潜像を第３現像剤ステーションＧ内に含有される第３カラートナー５５（マゼンタ）を用いて現像する。第３現像剤ステーションＧは有益に、第２現像ステーションＥと同様のスキャベンジレス現像システムである。
【００２９】
第３現像剤ステーションＧを通過後、画像領域は第３再帯電ステーションＨを通過する。第３再帯電ステーションは、一対のコロナ帯電デバイス６１及び６２を具備し、これが画像領域のトーン化及び未トーン化部分の両方の電圧レベルを、帯電デバイス３６、３７及び帯電デバイス５１、５２と同じ方法で実質的に均一なレベルに調整する。
【００３０】
第３再帯電ステーションＨを通過後、再帯電した画像領域は第４露光ステーション６３を通過する。第４露光ステーションが第４のカラー画像（即ち、シアン）の光表現で画像領域を照射して、第４静電潜像を生成するという事実を除いて、第４露光ステーション６３は、第１露光ステーションＢ、第２露光ステーション３８および第３露光ステーション５３のそれぞれと同じものである。次に、第４静電潜像は第４現像剤ステーションＩ内に含有される第４カラートナー６５（シアン）を用いて現像される。第４現像剤ステーションＩは、第２現像ステーションＥ及び第３現像ステーションＧと同様のスキャベンジレス現像システムである。
【００３１】
次に、トナーを調整して基体へ効率的に転写するために、画像領域は負のコロナを配する負の転写前コロトロン部材５０へ移行し、全トナー粒子が要求される負の極性を確実に有するようにする。転写前コトロトンは有益に、コロナ発生装置２２と同様の単数又は複数のデバイスである。
【００３２】
コロトロン部材５０を通過後、４つのトナー粉末画像は、転写ステーションＪで画像領域から支持シート５２へ転写される。理解されるように、支持シートは、転写ステーションへ従来のシートフィーディング装置（図示しない）により矢印５８の方向に進められる。転写ステーションＪは、シートの裏側に正のイオンを噴霧する転写コロナデバイス５４を具備する。これにより負に帯電したトナー粉末画像が支持シート５２上へ移動される。転写ステーションＪはまた、取り外しコロナデバイス５６も具備し、これにより印刷機８からの支持シート５２を容易に除去できる。
【００３３】
転写後、支持シート５２はコンベヤ（図示せず）上に移動し、コンベヤがそのシートをフュージング（溶融、定着）ステーションＫへ進める。フュージングステーションＫは、参照番号６０により概略的に示されるフューザアセンブリを具備し、フューザアセンブリが転写粉末画像を指示シート５２へ永続的に定着する。好ましくは、フューザアセンブリ６０は加熱フューザローラ６２及び加圧ローラ６４を具備する。支持シート５２がフューザローラ６２と加圧ローラ６４との間を通過すると、トナー画像はシート状の支持体５２に永続的に定着される。フュージング後、支持シート５２はシュート（図示せず）によりキャチトレイ（同様に図示せず）へ導かれオペレータにより取り除かれる。
【００３４】
支持シート５２が受光体ベルト１０から分離された後、画像領域上の残留トナー粒子は、クリーニングステーションＬでハウジング６６内に収容されるクリーニングブラシにより除去される。次に画像領域は新しいマーキングサイクルを開始する準備をする。
【００３５】
上記記載した様々なマシン機能は一般的にコントローラにより管理及び調整され、コントローラが上記記載したオペレーションを制御するための電気コマンド（命令）信号を提供する。
【００３６】
（上記記載したように）ブラックトナーが最初に現像される場合、帯電デバイス３６及び３７の内の１つは除去され得る。これは、カラートナーは通常ブラックトナーの上に現像されないためである。
【００３７】
図４は、更に本発明の原理と一致する電子写真印刷機１５０を示す。印刷機１５０は１つの画像領域を４回、印刷機の中を通過させること、即ち各カラートナーに対して１パス（通過）によりカラー画像を生成する。
【００３８】
印刷機８と同じように、印刷機１５０は電荷保持面をアクティブマトリックス（ＡＭＡＴ）受光体ベルト１０として使用し、該ベルト１０が様々なゼログラフィック処理ステーションを順次通って、矢印１２により示された方向に移動する。ベルト移動は印刷機８と同じ方法で提供される。
【００３９】
受光体ベルトが移動すると、（印刷機８に関係して上記記載した）画像領域は帯電ステーションＡを通過する。図示されるように、帯電ステーションＡは２つのコロナ帯電デバイス、即ち第１帯電デバイス３６と第２帯電デバイス３７とをを含む（これらは、上記記載した帯電デバイス３６及び３７と同一である）。一方、印刷機１５０中の画像領域の第１パスの間、画像領域はその上にトナーを全く備えない。従って、分割帯電は必要とされず、帯電デバイスの内の１つだけが画像領域を帯電させるために使用される必要がある。図２（Ａ）は画像領域が帯電ステーションＡを最初に通過した後の画像領域上の電圧プロファイル６８を示す。
【００４０】
帯電ステーションＡを通過後、帯電画像領域は露光ステーションＢへ移行する。露光ステーションＢでは、画像領域は画像領域を画像の光表現で照射するレーザベースの出力走査デバイス２４の出力に露光される。露光ステーションＢを通る第１パスの間に、画像領域を露光して第１カラー、即ちブラックの静電潜像を生成する。図２Ｂは露光後に画像領域上に存在し得る典型的な電圧レベル、レベル７２及び７４を示す。
【００４１】
露光ステーションＢを最初に通過後、第１現像ステーションＣは第１カラー、即ちブラックの第１トナー粉末画像を画像領域上に付着する。第１現像ステーションＣは、印刷機８で使用されたように磁気ブラシ現像剤とすることができ、また（図４に示されるように）スキャベンジレス現像剤とすることもできる。いずれの場合でも、トナー３１は画像領域上に進められる。トナーは画像領域のさほど負でないセクションに引きつけられて、またより負であるセクションによりはじかれる。図２（Ｃ）は、画像領域が第１現像ステーションＣを通過した後の画像領域上の電圧を示す。要素７６により表され、約−２００Ｖの負の電圧に帯電するトナーは、照射画像領域に付着する。画像領域の非照射部分はレベル７２にあるままである。
【００４２】
第１現像ステーションＣを通過後、画像領域は再帯電のために帯電ステーションＡに戻るように進む。先に述べられたように、帯電ステーションＡは２つのコロナ帯電デバイス、即ち第１帯電デバイス３６及び第２帯電デバイス３７から成る。帯電デバイスのうちの１つだけが画像領域を初期帯電するために必要とされ、再帯電の間に、両帯電デバイスは画像領域のトーン化及び未トーン化の両部分の電圧レベルを実質的に均一なレベルに再帯電させるために共に作動する。画像領域の再帯電は、印刷機８中の帯電ステーション３６及び３７を参照して上記記載した方法で行う。（第１帯電デバイス３６を通過した後の画像領域上の電圧を示す）図２（Ｄ）と、（第２帯電デバイス３７を通過した後の画像領域上の電圧を示す）図２（Ｅ）を参照すると、再び電圧分割は約−２００ボルトとなる。
【００４３】
帯電ステーションＡで再帯電した後、今実質的に均一に帯電した画像領域は、その第１トナー粉末画像を伴って露光ステーションＢを再び通過する。露光ステーションが画像領域を第２カラー画像（即ち、イエロー）の光表現で照射して第２静電潜像を生成するという事実を除いて、露光ステーションは画像領域の第１パスの間にそれが行ったのと同じ方法で動作する。図２（Ｆ）は画像領域が露光ステーションを２回目に通過した後の画像領域上の電位を示す。
【００４４】
露光ステーションＢを２回目に通過した後、画像領域は第２現像ステーションＥへ進み、トナー４０の第２カラー、即ちイエローの第２トナー粉末画像を画像領域に付着する。印刷機８と同じように、第２現像ステーションＥは有益にスキャベンジレス現像剤とする。トナー４０は画像領域のさほど負でない部分に引きつけられ、より負の部分によりはじかれる。第２現像ステーションＥを通過後、画像領域は重ね得る第１及び第２のトナー粉末画像を有する。
【００４５】
次に、画像領域は帯電ステーションＡへ再帯電のためにもう一度進む。帯電ステーションＡは画像領域が帯電ステーションを２回目に通過した時に行ったのと同じ方法で画像領域を再帯電させる。次に実質的に均一に帯電した画像領域はその２つのトナー粉末画像と共に露光ステーションＢを通過する。露光ステーションＢは画像領域を第３カラー画像（即ちマゼンタ）の光表現で照射して第３静電潜像を生成する。
【００４６】
次に、露光された画像領域は、第３カラートナー５５、即ちマゼンタの第３トナー粉末画像を画像領域上に付着する第３現像ステーションＧへ進む。第３現像ステーションＧはトナー５５を画像領域上へ進めるスキャベンジレス現像剤である。
【００４７】
もう一度、画像領域は再帯電のために帯電ステーションＡへ進む。帯電ステーションＡは画像領域を先に記載したのと同じ方法で再び再帯電させる。実質的に均一に帯電した画像領域はその３つのトナー粉末画像と共に再び露光ステーションＢを通過する。露光ステーションＢは画像領域を第４番目のカラー画像（即ちシアン）の光表現で照射して第４静電潜像を生成する。
【００４８】
次に、画像領域は、第４カラートナー６５、即ちシアンの第４トナー粉末画像を画像領域に付着する第４現像ステーションＩへ進む。第４現像ステーションＩもまたスキャベンジレス現像剤とする。
【００４９】
第４トナー粉末画像が現像された後、複合トナー粉末画像は支持シート５２への転写及びその後のフュージングの準備を始める。支持シートへの転写、フュージング、及び受光体ベルト１０のクリーニングは印刷機８を参照して先に記載したのと同じ方法で行われる。次に、画像領域は新たなマーキングサイクルを始める準備をする。
【００５０】
上記記載はフルカラー印刷機に関したが、ワイヤのグループを備える高スロープＡＣスコロトロンデバイスは多数の他の用途に有用であることが認識される。例えば、このようなデバイスは転写前コロナ発生装置として、特に高速トリレベル電子写真印刷機において有益に使用される。
【００５１】
図及び上記記載は本発明を説明するが、それらは単に例示的なものであることは理解される。当業者は、示された実施の形態の本発明の原理内にある数々の変更及び改造を認識するであろう。従って、本発明は請求の範囲によってだけ限定されるべきである。
【図面の簡単な説明】
【図１】本発明の原理を組み込んだ電子写真印刷機の概略図である。
【図２】（Ａ）は図１及び図４に示される電子写真印刷機中の、画像領域帯電後の画像領域の電圧プロファイルを示し、（Ｂ）は露光後の画像領域の電圧プロファイルを示し、（Ｃ）は現像後の画像領域の電圧プロファイルを示し、（Ｄ）は第１の帯電デバイスにより再帯電した後の画像領域の電圧プロファイルを示し、（Ｅ）は第２の帯電デバイスにより再帯電した後の画像領域の電圧プロファイルを示し、（Ｆ）は２回目に露光した後の画像領域の電圧プロファイルを示す。
【図３】（Ａ）は本発明の原理に従って好適な実施の形態の帯電デバイスを概略的に示し、（Ｂ）はコロナワイヤ駆動電圧を示す。
【図４】本発明の特徴を組み込む別の電子写真印刷機の概略図を示す。
【符号の説明】
１０    受光体ベルト
３７    帯電デバイス
９９    シェル
１０５    コロナワイヤ
１０６    コロナワイヤ
１０７    コロナワイヤ
１０８    コロナワイヤ
１０９    コロナワイヤ
１１０    金属グリッド
１１２    誘電材料
１１６    第１交流電源
１１８    第２交流電源
【図１】
0003764529.tif 000002
【図２】
0003764529.tif 000003
【図３】
0003764529.tif 000004
【図４】
0003764529.tif 000005